(57)【要約】【課題】架設足場の設置区間の全ての枕木を交換できない。【解決手段】足場板２、2a…を載置するメインフレーム４における内端側部位の下部に、梁Ｈ、Ｈａを上下方向及び左右方向で挟着する手段５、６を、外端側に手摺支柱７を設けたブラケット１、1a…を、梁Ｈ、Ｈａの長手方向に所定間隔毎に、且つ梁Ｈ、Ｈａにおける枕木間部位に取り付けて足場板２、2a…を敷設することによって、設置区間の枕木の全が交換可能になる。【選択図】図１
2006161274.tif 000002
【特許請求の範囲】
【請求項１】
足場板を載置するメインフレームにおける内端側部位の下部に、梁を上下方向及び左右
方向で挟着する挟着手段を設けると共に、外端側に手摺支柱を設けたことを特徴とする仮
設足場用ブラケット。
【請求項２】
メインフレームを中間部で折曲可能としたことを特徴とする請求項１記載の仮設足場用
ブラケット。
【請求項３】
上下挟着手段を、メインフレームの内端側部位と、該内端側部位の下方に配置した挟着
体とにより構成し、該挟着体に形成したネジ孔に、メインフレームの下面より下方突出さ
せたネジ棒を螺入させたことを特徴とする請求項１又は２記載の仮設足場用ブラケット。
【請求項４】
挟着体に複数個の固定孔を貫設し、他方メインフレーム内端部に、下端部を挟着体の固
定孔に差し込み可能な固定杆を設けたことを特徴とする請求項３記載の仮設足場用ブラケ
ット。
【請求項５】
メインフレームの外端側部位を、水平フレーム部及び立上フレーム部によりＬ字形状に
形成したメインフレーム主体とし、メインフレームの内端側部位を、上記立上フレーム部
の上端部に設けた水平な取付フレームとしたことを特徴とする請求項１、２、３又は４記
載の仮設足場用ブラケット。
【請求項６】
メインフレームの内側に、立上フレーム部と梁の外側面との間隔を保持する手段を設け
たことを特徴とする請求項５記載の仮設足場用ブラケット。
【請求項７】
取付フレームを立上フレーム部に対しスライド可能且つ固定可能に設け、かかる立上フ
レーム部と、該立上フレーム部より内端側下部に設けた下方突出部位とにより左右挟着手
段を構成したことを特徴とする請求項５又は６記載の仮設足場用ブラケット。
【請求項８】
請求項７の下方突出部位を、請求項３のネジ棒としたことを特徴とする仮設足場用ブラ
ケット。
【請求項９】
立上フレーム部の内側面上部に、梁の外側面への当接体を設けたことを特徴とする請求
項５、６、７又は８記載の仮設足場用ブラケット。
【発明の詳細な説明】
【技術分野】
【０００１】
本発明は、特に鉄橋におけるレール、枕木を交換する際に、鉄橋の外側に設置する仮設
足場用のブラケットに関する。
【背景技術】
【０００２】
従来、鉄橋におけるレール、枕木の交換作業に使用する足場としては、水平方向に延長
するフレームの一端上方に対して線路を構成する枕木の端部に挿入固定される支持枠が設
けられた固定部材と、前記フレームの他端に立設して固定される支柱部材とを備え、少な
くとも所定間隔を置いた枕木に対して二箇所で併設される固定手段と、板状に形成され、
併設された前記固定部材のフレーム間上に架設される足場板と、併設された前記支柱部材
間に取り付けられる手摺部材とを具備することで、容易に設置可能で、安全に作業が行え
る転落防止具が見受けられる（例えば、特許文献１参照）。
【０００３】
【特許文献１】特開平９−３８２９号公報（第２、４、５頁及び図１、３、４参照）
【発明の開示】
【発明が解決しようとする課題】
【０００４】
しかし、上記従来技術のものは、足場板を載置するフレームが枕木に固定されてしまう
ため、架設足場の設置区間の枕木を全て交換できないなど、解決せねばならない課題があ
った。
【課題を解決するための手段】
【０００５】
本発明は、上記従来技術に基づく、架設足場の設置区間の全ての枕木を交換できない課
題に鑑み、足場板を載置するメインフレームにおける内端側部位の下部に、梁を上下方向
及び左右方向で挟着する挟着手段を設けると共に、外端側に手摺支柱を設けた仮設足場用
ブラケットを、梁の長手方向に所定間隔毎に、且つ梁における枕木間部位に取り付けて足
場板を敷設することによって、設置区間の枕木を全て交換可能にして、上記課題を解決す
る。
【発明の効果】
【０００６】
要するに本発明は、足場板を載置するメインフレームにおける内端側部位の下部に、梁
を上下方向及び左右方向で挟着する挟着手段を設けたので、かかる仮設足場用ブラケット
を、梁における枕木間部位の上部に載置するため、架設足場の設置区間全ての枕木を交換
することが出来、且つ上下・左右挟着手段により梁に上下左右方向へ移動しない固定状態
に姿勢を維持することが出来るため、かかる仮設足場用ブラケットにより構築した仮設足
場の安定性の向上を図ることが出来、而も枕木上面より低所の梁上部に仮設足場用ブラケ
ットを設置するため、設置状態の仮設足場用ブラケットが通過車両に衝突しない様に、即
ち枕木の上面より突出しない様に設計することにより、設置状態のまま車両を通過させる
ことが出来、よって諸作業に長期間を要するとしても架設足場を随時撤去する手間を省く
ことが出来る。
又、外端側に手摺支柱を設けたので、該手摺支柱に手摺パイプを取り付けることによっ
て、架設足場の外側からの転落を防止することが出来る。
又、メインフレームを中間部で折曲可能としたので、かかる仮設足場用ブラケットをコ
ンパクト化出来るため、搬入出作業の省力化を図ることが出来ると共に、保管時の省スペ
ース化を図ることが出来る。
【０００７】
上下挟着手段を、メインフレームの内端側部位と、該内端側部位の下方に配置した挟着
体とにより構成し、該挟着体に形成したネジ孔に、メインフレームの下面より下方突出さ
せたネジ棒を螺入させたので、挟着体の正逆回転によりネジ棒に対し挟着体を上下動させ
ることが出来る、即ちメインフレームと挟着体の間隔を拡縮自在にすることが出来るため
、メインフレームの内端側部位を梁上に載置するために該メインフレーム及び挟着体によ
り梁を上下方向に確実に挟着することが出来、よって仮設足場用ブラケットの梁への取付
作業を簡単な操作で行うことが出来る。
又、挟着体に複数個の固定孔を貫設し、他方メインフレーム内端部に、下端部を挟着体
の固定孔に差し込み可能な固定杆を設けたので、メインフレームに対する挟着体の位置を
確実に維持させることが出来ることから、車両通過時に梁が振動しても挟着体が回転せず
、即ちメインフレーム及び挟着体による挟着状態が緩まずそのままの状態を維持すること
が出来るため、仮設足場用ブラケットのガタツキ、延いては仮設足場用ブラケットの梁か
らの脱落に伴う作業者の転落事故や架設足場自体の落下事故を未然に防ぐことが出来る。
【０００８】
メインフレームの外端側部位を、水平フレーム部及び立上フレーム部によりＬ字形状に
形成したメインフレーム主体とし、メインフレームの内端側部位を、上記立上フレーム部
の上端部に設けた水平な取付フレームとしたので、かかる仮設足場用ブラケットの重心が
梁の上面より下方に位置することと、かかる仮設足場用ブラケットの立上フレーム部を梁
の外側面に当接させ取付フレームを梁上部に載置する様に引っ掛けて仮設置出来るため、
、設置作業時における仮設足場用ブラケットの支持負担を軽減することが出来、而も設置
後の荷重作用時の上下・左右挟着手段への負担の軽減を図ることが出来る。
而も、メインフレームを折曲可能にすれば、折曲状態における手摺支柱は取付フレーム
の上方で水平状態になることから、かかる高い位置の手摺支柱を持って直立姿勢に近い安
定した姿勢で梁上への仮置き作業を行うことが出来るため、不安定な現場での作業安全性
の向上を図ることが出来る。
尚、何らかの理由で、立上フレーム部と梁の外側面との間に隙間が形成されてしまう場
合、例えば梁がＩ型鋼でウェブの外側面と立上フレーム部との間に隙間がある様な場合に
は、荷重作用時の上下・左右挟着手段への負担が増大するが、メインフレームの内側に、
立上フレーム部と梁の外側面との間隔を保持する手段を設けたので、立上フレーム部が梁
の外側面に当接した状態と同等の状態になるため、上下・左右挟着手段への負担の軽減を
図ることが出来る。
【０００９】
立上フレーム部に対し取付フレームをスライド可能且つ固定可能に設け、かかる立上フ
レーム部と、該立上フレーム部より内端側下部に設けた下方突出部位とにより左右挟着手
段を構成したので、立上フレーム部と下方突出部位との間隔を確実に拡縮自在にすること
が出来るため、立上フレーム部及び下方突出部位により梁を左右方向に確実に挟着するこ
とが出来、よって仮設足場用ブラケットの梁への取付作業を簡単な操作で行うことが出来
、而も上記下方突出部位を、上下挟着手段におけるネジ棒としたので、上下挟着手段の一
部を左右挟着手段に兼用出来るため、構成部品を可能な限り少なくすることが出来、よっ
て省コスト化を図ることが出来る。
又、金属製の立上フレーム部が梁に直接当接すると、車両通過時の振動により立上フレ
ーム部と梁が微小な接離を繰り返して騒音が発生する可能性があるが、立上フレーム部の
内側面上部に、梁の外側面への当接体を設けたので、立上フレーム部を梁から離間させる
ことが出来るため、騒音の発生要因を排除することが出来る等その実用的効果甚だ大であ
る。
【発明を実施するための最良の形態】
【００１０】
以下、本発明に係る仮設足場用ブラケットの一実施例を図面に基づき説明する。
一般的な鉄橋Ｂは、図６、７に示す様に、橋脚Ａ上の両側部に一対の梁Ｈ、Ｈａ上に複
数本の枕木及び一対のレール（図示せず）が適宜設置されており、一対の梁Ｈ、Ｈａの間
には補強材としてのビームＣ、Ｃａ…をトラス状に配置しており、かかる鉄橋Ｂの梁Ｈ、
Ｈａの外側に、本発明に係るブラケット１、1a…を梁Ｈ、Ｈａの長手方向に所定間隔毎に
並列設置すると共に、該ブラケット１、1a…上に足場板２、2a…を複数枚（図面上３枚）
並列状態で載架して架設足場３を構築する様にしている。
尚、上記梁Ｈ、Ｈａにあっては、ウェブＷの上下にフランジＦ、Ｆａを有するＩ型鋼と
している。
【００１１】
上記各ブラケット１、1a…にあっては、図１〜５に示す様に、上記足場板２、2a…を載
置するメインフレーム４と、該メインフレーム４の内端側下部に設けた、梁Ｈ、Ｈａを上
下方向及び／又は左右方向で挟着する挟着手段５、６と、上記メインフレーム４の外端側
に設けた手摺支柱７とにより構成している。
【００１２】
上記メインフレーム４にあっては、図１〜３に示す様に、上記足場板２、2a…が実際に
載置される、横長Ｌ字形状に形成したメインフレーム主体８と、該メインフレーム主体８
の上端部に設けた水平な取付フレーム９とにより構成している。
【００１３】
先ず、メインフレーム主体８にあっては、図１に示す様に、水平フレーム部10と、該水
平フレーム部10の内端部に設けた立上フレーム部11とにより横長Ｌ字形状に形成している
。
又、水平フレーム部10は、図１において一点鎖線で示す様に、中間部で折曲可能とし、
設置状態では伸長状態で且つ水平状態を保持可能な構成としている。具体的には、水平フ
レーム部10を２本のフレーム部材10a 、10b を直列配置したものとし、該フレーム部材10
a 、10b の隣接端部を、底板部材12a の両側部より上方へ側壁板部材12b 、12c を連続形
成した断面逆門形状の受承部材12内に嵌合すると共に、一方の（梁Ｈ、Ｈａ側の）フレー
ム部材10a を受承部材12に固定すると共に、他方のフレーム部材10a を受承部材12の側壁
板部材12b 、12c に軸着している。尚、受承部材12の底板部材12a における他方のフレー
ム部材10b 側の部位の長さを長くするのが好ましい。
よって、水平フレーム部10は中間部で折曲可能になるが、他方のフレーム部材10b の下
面が水平状態で受承部材12の底板部材12a に当接するため、他方のフレーム部材10b がそ
れ以上下がらず、両方のフレーム部材10a 、10b が水平且つ一直線上に並ぶことになる。
【００１４】
次に、取付フレーム９にあっては、図４に示す様に、メインフレーム主体８における立
上フレーム部11の上部に、水平フレーム部10に対し平行に設け、且つその長手方向にスラ
イド可能とし、更に取付フレーム９を任意位置で立上フレーム部11に固定可能にしている
。
【００１５】
上記上下挟着手段５にあっては、図１、４に示す様に、メインフレーム４と、該メイン
フレーム４の内端側部位の下部、即ち取付フレーム９の内端側下部に上下動自在且つ任意
位置に固定可能に設けた挟着体13とにより構成して、取付フレーム９及び挟着体13の間隔
を拡縮且つ保持可能にしている。具体的には、円盤状に形成した挟着体13の中央にネジ孔
13a を形成し、他方取付フレーム９の下面より下方にネジ棒14を突出させ、該ネジ棒14を
ネジ孔13a 内に螺入することで、ネジ棒14に対し挟着体13を正逆回転させれば、ネジ棒14
に対し挟着体13が上下動して取付フレーム９及び挟着体13の相互間隔が拡縮可能となって
いる。
又、図２に示す様に、挟着体13に複数個の固定孔15、15a …を貫設し、該固定孔15、15
a …は同心円上に所定角度毎に配列されている。他方、取付フレーム９の内端面に取付筒
体16を設けると共に、該取付筒体16内に逆Ｌ字状の固定杆17を上下動可能に挿通し、該固
定杆17の下端部を挟着体13の固定孔15、15a …に差し込んで、挟着体13を回転させない様
に固定する様にしている。
【００１６】
上記左右挟着手段６にあっては、図１、４に示す様に、立上フレーム部11と、該立上フ
レーム部11より内端側下部に設けた下方突出部位とにより構成している。具体的には、前
記下方突出部位を上記上下挟着手段５におけるネジ棒14として、取付フレーム９のスライ
ドにより立上フレーム部11とネジ棒14の相互間隔が拡縮可能となっている。
又、立上フレーム部11の内側面上部に、梁Ｈ、Ｈａにおける上方のフランジＦの外側面
への当接体18を設けている。
【００１７】
水平フレーム部10及び立上フレーム９の内側に、立上フレーム９と鉄橋Ｂの梁Ｈ、Ｈａ
におけるウェブＷとの間隔Ｄを保持する間隔保持手段19を設けている。
具体的には、図１、３、４に示す様に、基端側を水平フレーム部10内に収容状態とした
棒状体20の突出部位の突出量を調節可能にし且つ任意突出量に固定可能とし、上記棒状体
20の先端部に、上記ウェブＷへの当接体21を設け、該当接体21より基端側に棒状体20に固
定したハンドル22を設けている。
或いは、図５に示す様に、水平フレーム部10の内端部内に設けた出没フレーム部材25の
内端部に、上記と同様の棒状体20、当接体21及びハンドル22を設けても良く、出没フレー
ム部材25には複数個の挿通孔26、26a …を貫設すると共に、任意の挿通孔26、26a …に、
水平フレーム部10を貫通する逆Ｌ字状の固定杆27を挿通させることで、水平フレーム部10
に対し出没フレーム部材25を固定する様にしている。
尚、棒状体20はネジ棒とし、水平フレーム部10における棒状体20の貫通部位にナットを
設けて、棒状体20の正逆回転により該棒状体20の突出寸法を調節自在とし、且つ任意突出
量に固定可能としている。
【００１８】
手摺支柱７の複数部位（図面上、上方部位及び中間部位）に手摺パイプ23、23a の固定
体24、24a を設けている。
【００１９】
次に、本発明に係る仮設足場用ブラケットの設置方法及び作用について説明する。
先ず、設置前に、折曲状態のブラケット１、1a…を、取付フレーム９を内側方向にスラ
イドさせる、即ち立上フレーム10を取付フレーム９の外端側寄り位置させて立上フレーム
部11とネジ棒14の間隔を拡げておき、且つ挟着体13をネジ棒14の下端側寄りに位置させた
状態として取付フレーム９と挟着体13の間隔を拡げておいて、下記の手順で設置する。
（１）折曲状態のブラケット１、1a…における取付フレーム９を上方のフランジＦ上に仮
置きした後、ネジ棒14をフランジＦの内側面に当接させると共に立上フレーム部11の当接
体18をフランジＦの外側面に当接させ、その後立上フレーム部11に取付フレーム９を固定
する。
（２）挟着体13を正回転させ上動させてフランジＦの下面に当接させ、固定孔15、15a …
の何れかが所定位置、即ち取付筒体16の直下に位置するまで締め付けた後、該当する固定
孔15、15a …に固定杆17の下端部を差し込んで、挟着体13が回転しない様にする。
（３）間隔保持手段19におけるハンドル22を持って棒状体20を、当接体21をウェブＷの外
側面に当接させ更に水平フレーム部10が水平状態になるまで正回転させる。
【００２０】
そして、上記（１）〜（３）工程を繰り返し行うと共に、折曲状態のブラケット１、1a
…を伸展させて、ブラケット１、1a…を片持ち状態で梁Ｈ、Ｈａに所定間隔毎に設置した
後、水平フレーム部10上に足場板２、2a…を、なるべく隙間の無い様に敷き詰めると共に
、手摺支柱７の固定体24、24a で手摺パイプ23、23a の中間部を固定して、図６、７に示
す様な架設足場３が完成する。
【００２１】
尚、図５に示すブラケット１、1a…にあっては、上記（３）工程において、先ず出没フ
レーム部材25を突出固定した後に、ハンドル22を持って棒状体20を、当接体21をウェブＷ
の外側面に当接させ更に水平フレーム部10が水平状態になるまで正回転させることで、棒
状体20の突出長さを最小限に抑え荷重に対する強度を向上させることが可能になる。
【００２２】
尚、保管・運搬時には水平フレーム部10を折り畳んでブラケット１、1a…をコンパクト
化し、設置時に展開使用する。
又、梁Ｈ、ＨａがＩ型鋼であるなど、立上フレーム部11と梁Ｈ、Ｈａの間に隙間があっ
ても、間隔保持手段19でその間隔を維持しているため、水平フレーム部10に荷重が作用し
ても下がらず水平姿勢が維持される。
【００２３】
又、上記実施例におけるメインフレーム４は、水平フレーム部10及び立上フレーム部11
により横長Ｌ字形状に形成されているが、縦長Ｌ字形状に形成しても良く、これらの形態
は作業現場及び作業内容により適宜選択できる様に、複数種類の水平フレーム部10及び立
上フレーム部11を準備して適宜組み立てる様にするのが好ましい。
【図面の簡単な説明】
【００２４】
【図１】本発明に係る仮設足場用ブラケットの正面図である。
【図２】図１の平面図である。
【図３】図１のＸ−Ｘ断面図である。
【図４】上下・左右挟着手段を示す要部拡大正面図である。
【図５】間隔抱持手段の他の実施例を示す要部拡大正面図で、（ａ）は没入状態を、（ｂ）は突出状態を示す図である。
【図６】本発明に係る仮設足場用ブラケットを使用して組み立てた仮設足場の平面図である。
【図７】図６のＹ−Ｙ断面図である。
【符号の説明】
【００２５】
２、2a…    足場板
４          メインフレーム
５          上下挟着手段
６          左右挟着手段
７          手摺支柱
８          メインフレーム主体
９          取付フレーム
10          水平フレーム部
11          立上フレーム部
13          挟着体
13a         ネジ孔
14          ネジ棒
15、15a …  固定孔
17          固定杆
18          当接体
19          間隔保持手段
Ｄ          間隔
Ｈ、Ｈａ    梁
【図１】
2006161274.tif 000003
【図２】
2006161274.tif 000004
【図３】
2006161274.tif 000005
【図４】
2006161274.tif 000006
【図５】
2006161274.tif 000007
【図６】
2006161274.tif 000008
【図７】
2006161274.tif 000009